(57)【要約】【課題】簡単な仕組みによって、布などを手提げ用の袋体にする。【解決手段】ファスナ付きシート１は、例えば、１枚の矩形の布で構成されており、その表面には、ファスナ３、８が配設されている。ファスナ３、８を閉じると、ファスナ３、８の取付形状を輪郭とし、袋体側面領域１７ａ、ｂを側面とする袋体が形成される。袋体の上に出ている頂点領域１５ａ、ｂを結ぶと、頂点領域１５ａ、ｂが連結されて輪状の空間３０が形成される。袋体に物を入れ、結び目２０を把持することにより、ファスナ付きシート１を手提げとして利用することができる。このように、ファスナ付きシート１は、シート部材２にファスナ３、８を取り付けるだけで構成できるため製造コストを低減することができ、また、ファスナ３、８を開閉するだけで平面上のシート部材２と手提げを形成することができる。【選択図】図２
2011036288.tif 000002
【特許請求の範囲】
【請求項１】
シート部材と、
前記シート部材の一方の面に配設され、対向するエレメントと係合するエレメント列と、前記エレメント列に沿って移動し、前記エレメント列の係合及び係合解除を行うスライダ部を用いて構成されたファスナ部と、
を用いて構成され、
前記エレメント列は、対向する対をなして配設されており、前記エレメント列の少なくとも一方の端部の間隔は、前記エレメント列の中央部における間隔よりも大きいことを特徴とするファスナ付きシート。
【請求項２】
前記対をなして配設されたエレメント列は、所定の線分に対して線対称に配設されていることを特徴とする請求項１に記載のファスナ付きシート。
【請求項３】
前記シート部材の外周は、矩形形状を有しており、
前記所定の線分は、前記矩形形状の対角線であることを特徴とする請求項２に記載のファスナ付きシート。
【請求項４】
前記対をなして配設されたエレメント列は、前記エレメント列の中央部で近接し、前記エレメント列の両端に近づくに従い離れていることを特徴とする請求項１、請求項２、又は請求項３に記載のファスナ付きシート。
【請求項５】
前記エレメント列の両端を結ぶ線と、前記エレメント列の中央部と前記シート部材の頂点を結ぶ線分が交点を有することを特徴とする請求項１から請求項４までのうちの何れか１の請求項に記載のファスナ付きシート。
【請求項６】
前記エレメント列は、第１のスライダ部を有し、中央部から一端に形成された第１のファスナ部と、第２のスライダ部を有し、中央部から他端に形成された第２のファスナ部と、から構成されていることを特徴とする請求項１から請求項５までのうちの何れか１の請求項に記載のファスナ付きシート。
【発明の詳細な説明】
【技術分野】
【０００１】
本発明は、ファスナ付きシートに関し、例えば、布にファスナを取り付けてファスナを閉じることにより、布を平面形状から袋体に変更できるものに関する。
【背景技術】
【０００２】
手提げは、買物などをする際に入手した商品等を収納して携帯するのに用いられる。
このように手提げは、携帯するため、特許文献１の「手提げ袋」のように未使用時はコンパクトに畳んでおいて使用時に広げたり、あるいは、特許文献２の「手提げバッグ」のように、未使用時は１枚の布体となっており、使用時に紐を用いて袋体にするものがある。
【０００３】
しかし、特許文献１の技術は、手提げ袋を複雑に折りたたむ必要があり、収納に手間がかかるという問題があった。
また、特許文献２の技術は、布に紐を複雑な形状に配設する必要があり、製造コストが高くなるという問題があった。
【先行技術文献】
【特許文献】
【０００４】
【特許文献１】特開２００２−１０８１７号公報
【特許文献１】特開２００９−１３１３４８号公報
【発明の概要】
【発明が解決しようとする課題】
【０００５】
本発明は、簡単な仕組みによって、布などを手提げ用の袋体にすることを目的とする。
【課題を解決するための手段】
【０００６】
本発明は、前記目的を達成するために、請求項１に記載の発明では、シート部材と、前記シート部材の一方の面に配設され、対向するエレメントと係合するエレメント列と、前記エレメント列に沿って移動し、前記エレメント列の係合及び係合解除を行うスライダ部を用いて構成されたファスナ部と、を用いて構成され、前記エレメント列は、対向する対をなして配設されており、前記エレメント列の少なくとも一方の端部の間隔は、前記エレメント列の中央部における間隔よりも大きいことを特徴とするファスナ付きシートを提供する。
請求項２に記載の発明では、前記対をなして配設されたエレメント列は、所定の線分に対して線対称に配設されていることを特徴とする請求項１に記載のファスナ付きシートを提供する。
請求項３に記載の発明では、前記シート部材の外周は、矩形形状を有しており、前記所定の線分は、前記矩形形状の対角線であることを特徴とする請求項２に記載のファスナ付きシートを提供する。
請求項４に記載の発明では、前記対をなして配設されたエレメント列は、前記エレメント列の中央部で近接し、前記エレメント列の両端に近づくに従い離れていることを特徴とする請求項１、請求項２、又は請求項３に記載のファスナ付きシートを提供する。
請求項５に記載の発明では、前記エレメント列の両端を結ぶ線と、前記エレメント列の中央部と前記シート部材の頂点を結ぶ線分が交点を有することを特徴とする請求項１から請求項４までのうちの何れか１の請求項に記載のファスナ付きシートを提供する。
請求項６に記載の発明では、前記エレメント列は、第１のスライダ部を有し、中央部から一端に形成された第１のファスナ部と、第２のスライダ部を有し、中央部から他端に形成された第２のファスナ部と、から構成されていることを特徴とする請求項１から請求項５までのうちの何れか１の請求項に記載のファスナ付きシートを提供する。
【発明の効果】
【０００７】
本発明によると、布などにファスナを取り付けることにより、簡単な仕組みによって、布などを手提げ用の袋体にすることができる。
【図面の簡単な説明】
【０００８】
【図１】本実施の形態に係るファスナ付きシートの構成を説明するための図である。
【図２】ファスナを閉じた場合のファスナ付きシートの形状を説明するための図である。
【図３】ファスナ付きシートの各種変形例を説明するための図である。
【図４】ファスナの形態の各種変形例を説明するための図である。
【図５】ファスナ付きシートの更なる変形例を説明するための図である。
【発明を実施するための形態】
【０００９】
（１）実施形態の概要
ファスナ付きシート１（図２）は、例えば、１枚の矩形の布で構成されており、その表面には、ファスナ３、８が配設されている。ファスナ３、８を閉じると、ファスナ３、８の取付形状を輪郭とし、袋体側面領域１７ａ、ｂを側面とする袋体が形成される。
袋体の上に出ている頂点領域１５ａ、ｂを結ぶと、頂点領域１５ａ、ｂが連結されて輪状の空間３０が形成される。
袋体に物を入れ、結び目２０を把持することにより、ファスナ付きシート１を手提げとして利用することができる。
【００１０】
このように、ファスナ付きシート１は、シート部材２にファスナ３、８を取り付けるだけで構成できるため製造コストを低減することができ、また、ファスナ３、８を開閉するだけで平面上のシート部材２と手提げを形成することができるため、簡単な操作で両形態をコンバートすることができる。
また、平面上のシート部材２は、スカーフとして利用したり、あるいは、畳んでポケットに収納するなどして容易に携帯することができる。
【００１１】
（２）実施形態の詳細
図１（ａ）は、本実施の形態に係るファスナ付きシート１の構成図であり、ファスナ付きシート１が開いた状態を示している。
シート部材２は、可撓性を有する矩形形状のシートであって、例えば、布、織物、樹脂製シートなど、自在に折りたたみできる素材によって構成されている。
矩形形状は、正方形、又は長方形の四角形状であり、正方形の方がシート部材２を折り畳んで手提げを形成する場合に折り畳み形状が対称となって使用し易いため、ここでは、正方形とする。また、平行四辺形や菱形でもよい。
本実施の形態では、シート部材２としてスカーフ布を用い、ファスナ付きシート１を手提げとして使用しない場合には、これを首に巻いてスカーフとして使用することができる。
【００１２】
この他、シート部材２として風呂敷布を用いて風呂敷として使用したり、あるいは、公園などで地面に座る際に下敷きとして用いる樹脂製シートとして使用したりなど、各種の用途が考えられる。
【００１３】
シート部材２の表面（裏面でもよい）には、シート部材２の対角線１８に対して線対称に広がるファスナ３とファスナ８が取り付けられている。
ファスナ３は、対角線１８に対して対称に取り付けられた一対のエレメント列６ａ、ｂを有している。
エレメント列６ａ、ｂの一端は、ファスナ付きシート１の中央に位置し、箱部４によって終端されている。
【００１４】
一方、エレメント列６ａ、ｂの他端は、先端に近づくにつれて対角線１８から遠ざかるように（即ち、対角線１８の側が凸となるように湾曲して）取り付けられ、先端には、それぞれ上止部７ａ、ｂが取り付けられている。このため、エレメント列６ａ、ｂの中点１９ａ、ｂ間の間隔よりも、先端の上止部７ａ、ｂ間の間隔の方が大きくなっている。
【００１５】
また、図示しないが、エレメント列６ａの両端部分（上止部７ａと箱部４）を結ぶ線分と、中点１９ａと頂点領域１５ａの頂点を結ぶ線分が交点を有する。
また、エレメント列６ａとファスナ８の対角線１８に対して同じ側のエレメント列がなすＵ字型の形状を１つのエレメント列をなすと考えた場合、エレメント列の両端を結ぶ線分と、当該エレメント列の中央部（箱部４付近）と頂点領域１５ａの頂点を結ぶ線分が交点を有する。
【００１６】
箱部４と上止部７ａ、ｂの間には、スライダ部５が設けられている。スライダ部５は、エレメント列６ａ、ｂに沿って箱部４と上止部７ａ、ｂの間を移動することができ、上止部７ａ、ｂの方向へ移動する場合には、エレメント列６ａ、ｂを係合させ（ファスナを閉じ）、箱部４の方向へ移動する場合には、エレメント列６ａ、ｂの係合を解除する（ファスナを開く）。
【００１７】
ファスナ８の構成は、ファスナ３と同じであり、対角線１８に垂直な対角線（図示せず）に対してファスナ３と線対称に取り付けられている。
ファスナ３、８は、何れも市販されている汎用品を用いることができる。
【００１８】
このように、ファスナ付きシート１では、ファスナ３、８のエレメント列が対角線１８に対して線対称に略Ｕ字型となるように取り付けられており、ファスナ３、８を閉じるとファスナ付きシート１は、袋状態となって手提げとして利用することができる。
後述するように、ファスナ付きシート１が袋状態となっている場合、ファスナ３、８のＵ字型に開いた側の頂点領域１５ａ、ｂは、手提げの取手部分となり、対角線１８方向の頂点領域１６ａ、ｂは、袋の中に収納され、Ｕ字の内側部分の袋体側面領域１７ａ、ｂは、袋体の側面となる。
【００１９】
図１（ｂ）は、ファスナ３の構成を説明するための図である。
エレメント列６ａは、略三角形状を有するエレメント１０が、布製のテープ部材１２ａに一列に取り付けられることにより構成されている。
エレメント列６ａに対向するエレメント列６ｂも、同様にテープ部材１２ｂに取り付けられた一列のエレメント１０から構成されている。
ファスナ３をファスナ付きシート１に取り付ける場合には、テープ部材１２ａ、ｂをシート部材２に縫いつけたり、あるいは接着剤で接着するなどして配設する。
【００２０】
スライダ部５は、エレメント列６ａ、ｂに沿ってエレメント列６ａ、ｂ上を移動することができ、上止部７ａ、ｂ側に移動する場合には、エレメント列６ａを構成するエレメント１０の凹凸部とエレメント列６ｂを構成するエレメント１０の凹凸部を嵌合させることによりエレメント列６ａ、ｂを係合させ、箱部４の側に移動する場合には、これら係合を解除する。
【００２１】
エレメント列６ａ、ｂの一端には、それぞれ上止部７ａ、ｂが設けてあり、スライダ部５は、上止部７ａ、ｂの位置まで移動すると、上止部７ａ、ｂと当接してこれ以上は移動しないようになっている。
一方、エレメント列６ａ、ｂの他端には、それぞれ下止部１３ａ、ｂが設けてあり、これら下止部１３ａ、ｂは、箱部４によって隣接するように固定されている。
【００２２】
そして、スライダ部５は、箱部４の位置まで移動すると、箱部４と当接してこれ以上は移動しないようになっている。
また、スライダ部５には、取手部１１が設けてあり、ユーザは、取手部１１を保持して力を加えることによりスライダ部５をスライド移動させることができる。
【００２３】
図２（ａ）は、ファスナ３、８を閉じた場合に、ファスナ付きシート１を側面から見たところを示した図である。
ファスナ３を閉じる際には、頂点領域１６ａを袋の内側に収納しながらこれを閉じ、ファスナ８を閉じる場合には、頂点領域１６ｂを袋の内側に収納しながらこれを閉じる。
【００２４】
図２（ｂ）は、袋状となったファスナ付きシート１を図２（ａ）の矢線Ａ方向に見たところを示した図である。
図に示したように、ファスナ３、８を閉じると袋体側面領域１７ａ、ｂが対面して袋体が形成される。
袋体には、例えば、購入した商品や身の回り品などを収納することができる。
【００２５】
図２（ｃ）は、頂点領域１５ａ、ｂを結んだところを示した図である。
頂点領域１５ａ、ｂを結ぶと結び目２０によって頂点領域１５ａ、ｂが連結し、輪状の空間３０が形成される。
ユーザが結び目２０を手で把持したり、あるいは空間３０に腕を挿通させることにより、ファスナ付きシート１を手提げとして利用することができる。
なお、本実施の形態では、頂点領域１５ａ、ｂを結んで結合したが、例えば、両面ファスナを用いて結合させたり、あるいは、専用の結合部材を用いて結合させてもよい。
【００２６】
このように、ファスナ付きシート１は、ファスナ３、８が開状態の場合には、例えば、スカーフとして頸部に巻いて携帯し、必要な場合にファスナ３、８を閉じて手提げ袋とすることができ、例えば、旅行先やショッピング時に携帯すると便利である。あるいは、折りたたんでポケットなどに収納しておくこともできる。
【００２７】
なお、本実施の形態では、頂点領域１５ａ、ｂを結んだが、１６ａ、ｂを結んだり、あるいは、１５ａ、ｂと１６ａ、ｂの両方を結んでもよい。
更に、本実施の形態では、ファスナ３、８が手提げの外側になるようにファスナ３、８を閉じたが、ファスナ３、８が手提げの内側になるように閉じてもよい。
【００２８】
図３（ａ）は、ファスナ付きシート１の変形例を説明するための図である。
先に説明した実施の形態では、ファスナ３とファスナ８を線対称に配設することによりＵ字型のエレメント列を形成したが、本変形例では、単一のファスナ２１を用いてＵ字形状を形成する。
ファスナ２１は、エレメント列２２ａと、これに対向して線対称に配置されたエレメント列２２ｂを用いて構成されている。
【００２９】
エレメント列２２ａ、ｂは、中央部で近接し、両端に近づくに従って離れていくように配設されている。
エレメント列２２ａの一端側には、箱部４が形成されており、エレメント列２２ａには、スライダ部５が取り付けてある。
一方、エレメント列２２ｂの一端側には、下止部１３ｂが形成されている。
下止部１３ｂは、スライダ部５を通して箱部４に着脱できるように構成されている。
【００３０】
一方、エレメント列２２ａ、ｂの他端側には、それぞれ上止部７ａ、ｂが設けられている。
ファスナ２１を閉じる場合には、下止部１３ｂを箱部４に装着し、スライダ部５を上止部７ａ、ｂに当接するまで移動させる。
すると、ファスナ２１が閉じてシート部材２による袋体が形成される。また、スライダ部５を箱部４に当接するまで逆に移動してから下止部１３ｂを箱部４から取り外すと、シート部材２を平面状態に復元することができる。
【００３１】
図３（ｂ）は、ファスナ付きシート１の他の変形例を説明するための図である。
本変形例のファスナ２６は、図１において、箱部４を取り除き、ファスナ３とファスナ８を連結したものである。
スライダ部５ａ、ｂは、何れの端部にも移動可能であるため、中央部にストッパ２５を設け、それぞれの移動範囲を中央から先端までの領域に限定するように構成することもできる。
ストッパ２５は、例えば、糸をファスナ２６を横断するように縫いつけたり、あるいは、ファスナ２６に樹脂を固着するなどして形成することができる。
【００３２】
図４（ａ）は、ファスナの形態の変形例を説明するための図である。
この変形例では、ファスナ４１のエレメント列６ａは、箱部４から上止部７ａまで直線状に配設されており、他のエレメント列も同様に直線状に配設されている。
ファスナ付きシート１において、エレメント列の形状は、ファスナ付きシート１が袋体を形成した場合の袋体の輪郭線を形成するため、この変形例では、ファスナ４１を閉じると、口が広く、底に近づくに（いくに）従って尖った形状の袋体が形成される。
【００３３】
図４（ｂ）は、ファスナの形態の他の変形例を説明するための図である。
この変形例では、ファスナ５１のエレメント列６ａは、Ｊの字状に大きく湾曲し、上止部７ａの側は、シート部材２の辺に沿ってシート部材２の頂点に向かっている。他のエレメント列も同様に大きく湾曲して配設されている。
このように形成されたファスナ５１を閉じると、口が狭く底が広い袋体が形成される。
以上の例では、ファスナ４１では、口が広く底が狭い袋体が形成され、ファスナ５１は、口が狭く底が広い袋体が形成されるが、これは一例であって、エレメント列６ａ、ｂの配置形状により、袋体の外形を様々な形にデザインすることができる。
【００３４】
図４（ｃ）は、ファスナの形態の更なる変形例を説明するための図である。
この変形例では、シート部材２の１の頂点付近に設けた箱部４から、当該頂点に対向する２つの辺に向かってエレメント列６ａ、ｂが開くようにファスナ６１が配設され、それぞれの先端に上止部７ａ、ｂが設けられている。
この図のように、本変形例では、エレメント列６ａ、ｂは、対角線１８に対して線対称に配設されているが、対角線１８に垂直な直線に対しては線対称に配設されていない。
また、箱部４がシート部材２の中心に設けられていない。
この例では、底の浅い手提げが形成されるが、例えば、ワインのボトルを入れたり、あるいは、犬などのペットを入れて運ぶ際に便利な形状である。
【００３５】
図４（ｄ）は、ファスナの形態の更なる変形例を説明するための図である。
この変形例では、ファスナ７１は、一端がシート部材２の一辺の中心付近に位置し、エレメント列６ａ、ｂが、当該一辺に隣接する両辺に向かって配設されている。
そして、この例では、ファスナ７１を閉じて袋体を形成した後、当該一辺とこれに隣接する２辺の交わる頂点７５、７６を結んで手提げを形成する。
この例では、中心線１８ａは、シート部材２の中心線となっており、対角線上には設定されていない。
【００３６】
図４（ｅ）は、シートとファスナの形態の変形例を説明するための図である。
この変形例では、シート部材２は、例えば、横長のスカーフを構成する長方形の布地を使用する。
シート部材２に対し、シート部材２の長手方向の中心から両端に向かってＵ字型の開口部が位置するようにファスナ３、８が配設されている。
このため、Ｕ字型の開口方向の中心線は、シート部材２の長手方向の中心線と一致している。
【００３７】
なお、これは、一例であって、必ずしも中心線と一致する必要はなく、Ｕ字型の開口方向の中心線は、シート部材２の短手方向に所定距離オフセットした位置となるようにしてもよい。
また、当該中心線に垂直方向の中心線（Ｕ字型の底に接する方向の中心線）が、シート部材２の長手方向の中心線と一致してもよいし、あるいは、所定距離オフセットしてもよい。
このように、２つＵ字型の対称線の中心は、シート部材２の中心、あるいは、その周辺でよい。
また、２つＵ字型の対称線は、シート部材２の辺に平行でなく、回転していてもよい。
【００３８】
ファスナ３、８を閉じるとシート部材２は袋体を形成し、長手方向の両端を結ぶと手提げが形成される。
あるいは、破線で示したようにシート部材２において、Ｕ字型の開口方向の両端に穴部８１を形成しておくと、袋体を形成した際に取手として利用することができる。
なお、以上に説明した各種のファスナ付きシート１において、シート部材２に穴部８１を形成しておくように構成することもできる。
【００３９】
次に、図５を用いてファスナ付きシート１の更なる変形例について説明する。
図５（ａ）は、ファスナ３、８の取付位置をオフセットした例である。
シート部材２は、長方形をなしており、ファスナ３、８は、シート部材２の長手方向の一方にオフセットした位置に配設されている。この場合、結び目が手提げ形状に対して非対称になるため、手提げを肩に担ぐ場合（バックパックのように背に当たる領域の長さが短く、外側の領域の長さが長くなる）などに適した形状となる。
【００４０】
図５（ｂ）は、長方形をなすシート部材２の対角線１８ｂに対してファスナ３、８を対称的に配設する場合である。
この場合も、エレメント列６ａの中央と、シート部材２の頂点（Ｕ字型エレメント列６ａの開口部方向の頂点）を結ぶ線分とエレメント列６ａの両端を結ぶ線が交点を有している。
又は、ファスナ３、８を合わせて１つのＵ字型を構成すると考える場合、再両端（上止部７とファスナ８の上止部を結ぶ線分など）と、当該Ｕ字の中心（箱部４付近）とシート部材２の頂点（Ｕ字型の開口部方向の頂点）と結ぶ線分が交点を有している。
【００４１】
図５（ｃ）は、長方形をなすシート部材２の長辺に短辺と同じ長さ（Ｌ）の領域を考え、これによって構成される仮想的な正方形の対角線１８ｃに対してファスナ３、８を対称的に配設する場合である。
この場合も、エレメント列６ａの中央と、シート部材２の頂点（Ｕ字型エレメント列６ａの開口部方向の頂点）を結ぶ線分とエレメント列６ａの両端を結ぶ線が交点を有している。
【００４２】
又は、ファスナ３、８を合わせて１つのＵ字型を構成すると考える場合、再両端（上止部７とファスナ８の上止部を結ぶ線分など）と、当該Ｕ字の中心（箱部４付近）とシート部材２の頂点（Ｕ字型の開口部方向の頂点）と結ぶ線分が交点を有している。
この場合、ファスナ３、８によるＵ字型の開口部が図３（ｂ）の場合よりもシート部材２の短辺方向を向いているため、手提げとする場合にシート部材２の端部を結びやすくなる。
【００４３】
図５（ｄ）は、長方形をなすシート部材２の長辺の中心線に対して対称的にファスナ３、８によるＵ字型形状を２つ配設した例である。
この例で、それぞれのファスナ３、８を閉じると、それぞれによる袋体が形成され、２つの領域を有する（即ち、２つの領域に仕切られた）手提げを形成することができる。
この場合、シート部材２の両端を結んでもよいが、穴部８１を設けておくと容易に手に持つことができる。
【００４４】
以上、ファスナ付きシート１の各種の形態について説明したが、更なる変形が可能である。
例えば、図１（ａ）において、エレメント列６ａ、ｂは、対角線１８に対して線対称に配設されているが、これは、一例であって、線対称でなくてもよい。
【００４５】
以上に説明した、本実施の形態、及び変形例によって、次のような効果を得ることができる。
（１）ファスナ付きシート１は、ファスナ３、８を開いた状態では、スカーフや風呂敷、あるいは、公園などで地面に座る際の下敷きなどとして用いたり、あるいは、畳んで携帯することができ、ファスナ３、８を閉じた状態では、手提げとして用いることができる。
（２）ファスナ３、８を開閉するだけで、簡単にシート状にしたり手提げにしたりすることができる。
（３）シート部材２にファスナ３、８を取り付けるだけの簡単な加工で製造することができる。
（４）エレメント列の配置形状によって袋体の様々な形状をデザインすることができる。
【００４６】
以上に説明した、実施の形態、及び変形例により、次のような構成を得ることができる。
シート部材２は、シート部材として機能している。
また、ファスナ３は、シート部材２の表面、又は裏面に配設されており、エレメント列６ａ、ｂを構成するエレメント１０は、凹凸が嵌合することにより対向するエレメント１０と係合し、スライダ部５は、エレメント列６ａ、ｂに沿って移動して、上止部７ａ、ｂの方向に移動する場合にはエレメント列６ａ、ｂを係合し、箱部４の方向に移動する場合には、これらの係合を解除するため、前記シート部材の一方の面に配設され、対向するエレメントと係合するエレメント列と、前記エレメント列に沿って移動し、前記エレメント列の係合及び係合の解除を行うスライダ部を用いて構成されたファスナ部として機能している。
更に、エレメント列６ａ、ｂは、係合する部位が対向して配設されており、上止部７ａ、ｂの間隔は中点１９ａ、ｂの間隔よりも大きいため、前記エレメント列は、対向する対をなして配設されており、前記エレメント列の少なくとも一方の端部の間隔は、前記エレメント列の中央部における間隔よりも大きくなっている。
【００４７】
また、エレメント列６ａ、ｂは、対角線１８に対して線対称に配設されているため、対をなして配設された前記エレメント列は、所定の線分に対して線対称に配設されている。
更に、シート部材２は、矩形の布などであるため、前記シート部材の外周は、矩形形状を有しており、前記所定の線分は、前記矩形形状の対角線となっている。
【００４８】
加えて、ファスナ３、８のエレメント列を１列のエレメント列と見た場合、これらは箱部４で近接し、両端に近づくに（いくに）従って離れており、また、ファスナ２１は、中央部で近接して両端に近づくに（いくに）従って離れているため、前記対をなして配設されたエレメント列は、前記エレメント列の中央部で近接し、前記エレメント列の両端に近づくに従い（いくほど）離れている。
【００４９】
また、図示しないが、エレメント列６ａの両端部分（上止部７ａと箱部４）を結ぶ線分と、中点１９ａと頂点領域１５ａの頂点を結ぶ線分が交点を有するため、前記エレメント列の両端を結ぶ線と、前記エレメント列の中央部と前記シート部材の頂点を結ぶ線分が交点を有している。
そして、ファスナ３を第１のファスナ部、ファスナ８を第２のファスナ部と考えることができ、この場合、前記エレメント列は、第１のスライダ部を有し、中央部から一端に形成された第１のファスナ部と、第２のスライダ部を有し、中央部から他端に形成された第２のファスナ部と、から構成されている。
【符号の説明】
【００５０】
１  ファスナ付きシート
２  シート部材
３  ファスナ
４  箱部
５  スライダ部
６  エレメント列
７  上止部
８  ファスナ
１０  エレメント
１１  取手部
１２  テープ部材
１３  下止部
１５  頂点領域
１６  頂点領域
１７  袋体側面領域
１８  対角線
１９  中点
２０  結び目
３０  空間
【図１】
2011036288.tif 000003
【図２】
2011036288.tif 000004
【図３】
2011036288.tif 000005
【図４】
2011036288.tif 000006
【図５】
2011036288.tif 000007